(57)【要約】【課題】マイク孔を指で塞ぐことを防止できるとともに、各筐体を折り畳んだ際にガタつきを防げ、さらに表示部を表にして折り畳んだ場合でも通話することのできる折り畳み式携帯通信機を提供する。【解決手段】折り畳み式の携帯電話機１００は、第二の筐体２の操作面の開閉軸４の近傍に、第一の筐体１の表示面に向けて突出する第一の凸部２８aが形成され、この第一の凸部２８aの近傍にマイク孔２５１が形成されている。【選択図】図１
2007194853.tif 000002
【特許請求の範囲】
【請求項１】
表示部及び受話部を有する第一の筐体と操作部及び送話部を有する第二の筐体とを互いに開閉動作させる際に中心となる開閉軸と、前記第一の筐体と前記第二の筐体とを開いた状態で前記第一の筐体を前記第二の筐体に対して回動動作させる際に中心となる回動軸と、を備えた折り畳み式携帯通信機において、
前記第一の筐体と前記第二の筐体とを折り畳んだ際に互いに対向する面のうち、一方の対向面の前記開閉軸の近傍に、他方の対向面に向けて突出する第一の凸部が形成され、前記第一の凸部の近傍にマイク孔が形成されていることを特徴とする折り畳み式携帯通信機。
【請求項２】
前記第一の筐体と前記第二の筐体とを折り畳んだ際に互いに対向する面のうち、一方の対向面の前記開閉軸と反対側の端部側に、他方の対向面に向けて突出する第二の凸部が形成されていることを特徴とする請求項１に記載の折り畳み式携帯通信機。
【発明の詳細な説明】
【技術分野】
【０００１】
本発明は、通話機能を備えた折り畳み式携帯通信機に関する。
【背景技術】
【０００２】
この種の携帯通信機、特に携帯電話機において、表示部を有する第一の筐体と、操作部を有する第二の筐体とを、二軸ヒンジを介して連結し、表示部を表にしても裏にしても折り畳めるようにした二軸ヒンジ構造のものがある。この種の折り畳み式携帯電話機では、表示部を表にして折り畳んだ状態での通話に対応するためにヒンジの近傍にマイクを実装する必要がある。例えば、折り畳んだ状態で露出するヒンジ部表面に第２のマイクを設けた携帯電話機が知られている（特許文献１参照）。
【特許文献１】特開２００５−２４４７５２号公報
【発明の開示】
【発明が解決しようとする課題】
【０００３】
しかしながら、上記特許文献１に記載の携帯電話機のようにヒンジ部表面に第２のマイクを設ける構成とした場合、部品点数が増してコストがアップすると共にマイクの実装が複雑化して組立作業性が悪いという問題がある。一方、第二の筐体内でヒンジの近傍にマイクを実装した場合、マイクの音孔が通話者の指によって塞がれ易いという問題点がある。
そこで、本発明は上記事情に鑑みてなされたもので、マイク孔を指で塞ぐことを防止できるとともに、各筐体を折り畳んだ際にガタつきを防げ、さらに表示部を表にして折り畳んだ場合でも通話することのできる折り畳み式携帯通信機を提供することを目的としている。
【課題を解決するための手段】
【０００４】
上記課題を解決するため、請求項１の発明は、表示部及び受話部を有する第一の筐体と操作部及び送話部を有する第二の筐体とを互いに開閉動作させる際に中心となる開閉軸と、前記第一の筐体と前記第二の筐体とを開いた状態で前記第一の筐体を前記第二の筐体に対して回動動作させる際に中心となる回動軸と、を備えた折り畳み式携帯通信機において、前記第一の筐体と前記第二の筐体とを折り畳んだ際に互いに対向する面のうち、一方の対向面の前記開閉軸の近傍に、他方の対向面に向けて突出する第一の凸部が形成され、前記第一の凸部の近傍にマイク孔が形成されていることを特徴とする。
【０００５】
請求項１の発明によれば、第一の筐体と第二の筐体とを折り畳んだ際に互いに対向する面のうち、一方の対向面の開閉軸の近傍に第一の凸部が形成され、この第一の凸部の近傍にマイク孔が形成されているので、通話者の指によって塞がれ易い開閉軸の近傍に設けられたマイク孔は、その近傍に形成した第一の凸部に指が接触することで、指とマイク孔との間に隙間が設けられるため、マイク孔が指で塞がれることを防止でき、通話を確実に行うことができる。しかも、折り畳んだ際に、第一の凸部が他方の対向面に当接することにより各筐体が固定されて、ガタつきを防止することもできる。
また、マイク孔が開閉軸の近傍に設けられているので、第一の筐体を回動軸を中心として回動させ、表示部を表にして折り畳んだ場合でも第一の筐体を開くことなく容易に通話に対応することができる。
【０００６】
請求項２の発明は、請求項１に記載の折り畳み式携帯通信機において、前記第一の筐体と前記第二の筐体とを折り畳んだ際に互いに対向する面のうち、一方の対向面の前記開閉軸と反対側の端部側に、他方の対向面に向けて突出する第二の凸部が形成されていることを特徴とする。
【０００７】
請求項２の発明によれば、折り畳んだ際の互いに対向する面のうち、一方の対向面の開閉軸と反対側の端部側に第二の凸部が形成されているので、折り畳んだ際に、第二の凸部が他方の対向面に当接することにより各筐体が固定されて、ガタつきを確実に防止することができる。
【発明の効果】
【０００８】
本発明によれば、マイク孔が指で塞がれることを防止でき、通話を確実に行うことができるとともに、第一の凸部によって各筐体が固定されてガタつきを防止することができる。さらに、各筐体を折り畳んだ状態でも第一の筐体を開くことなく容易に通話に対応することができる。
【発明を実施するための最良の形態】
【０００９】
以下、本発明の実施の形態を、携帯電話機を例に挙げて図面に基づいて説明する。
図１は、携帯電話機１００の開いた状態における斜視図、図２は、図１における正面図、図３は、図１における背面図である。
折り畳み式携帯電話機１００は、液晶ディスプレイ（表示部）１４や受話用スピーカ（受話部）１５が設けられた第一の筐体１と、操作キー群（操作部）２４や送話用マイク（送話部）２５２（図７参照）が設けられた第二の筐体２とが開閉自在に連結されている。
【００１０】
第一の筐体１は、図示の状態で折り畳んだ際に内側（第二の筐体２側）に位置するフロントケース１２と、外側に位置するリアケース１３とから構成されている。フロントケース１２の下端部にはフロントヒンジケース１５が設けられ、リアケース１３にはリアヒンジケース１６が設けられている。
フロントケース１２とリアケース１３との間には、液晶ディスプレイ１４を構成する表示部側基板等を支持する中ケース（図示しない）やスピーカ１５等が収納されている。
また、中ケースには、第一の筐体１と第二の筐体２とを開いた状態で第一の筐体１を第二の筐体２に対して回動動作させる際に中心となる上下に延在する回動軸３が第一のブラケット（図示しない）によって固定されている。回動軸３の下端部には、回動軸３と垂直となるように第二の筐体２側に延在する第二のブラケット５が取り付けられ、この第二のブラケット５の第二の筐体２側に延在する端部が、第二の筐体２に対して開閉動作させる際に中心となる左右に延在する開閉軸４に連結されている。そして、回動軸３及び第二のブラケット５の一部は、フロントヒンジケース１６及びリアヒンジケース１７に覆われて外側から見えないようになっている。また、第二のブラケット５の残余の部分及び開閉軸４は、開閉軸部フロントカバー１８及び開閉軸部リアカバー１９で覆われて外側から見えないようになっている。
【００１１】
第二の筐体２は、折り畳んだ際に内側（第一の筐体１側）に位置するフロントケース２２と、外側に位置するリアケース２３とから構成されている。
フロントケース２２とリアケース２３との間には、折り畳み式携帯電話機１００全体を制御するメインプロセッサ等が設けられた回路基板を支持する中ケース（図示しない）、操作キー群２４、マイク２５２、バッテリー（図示しない）、カメラユニット２６等が収納されている。
フロントケース２２は、表面側に窪んだ略箱状のものであり、フロントケース２２の表面には内部に収容した操作キー群２４のうちの複数のキートップ２４２a〜２４２jが表面に露出するようにキートップ２４２a〜２４２jの周囲を表面側から囲む平面視略長方形状の開口部２２１が形成されている。また、フロントケース２２の上端部には、開閉軸４が配置される平面視略矩形状の切欠部２２２が形成されている。なお、開閉軸４は前述したように開閉軸部フロントカバー１８及び開閉軸部リアカバー１９に覆われて外側から見えないようになっている。
リアケース２３は、裏面側に窪んだ略箱状のものであり、その底面には内部に収容したバッテリーを外部に取り出し可能とする開口部が形成され、開口部がバッテリーカバー２３１によって覆われている。また、リアケース２３の底面には内部に収容したカメラユニット２６のレンズ部２６１やカメラの起動時や撮影時に点灯・点滅するランプ２３３、撮影用の照明ライト２３４、赤外線ポート２３５等が露出されている。
【００１２】
第二の筐体２の中ケースは、マグネシウム合金からなり、その上端部には開閉軸４が図示しないブラケットによって取り付けられている。
また、第二の筐体２の中ケースの裏面側には図示しないがメインプロセッサ、メモリ、モデム、ＴＶチューナ、電源ＩＣ等が設けられた回路基板が組み付けられており、表面側に、ドームスイッチのような可動接点と固定接点とを備えた薄型の押圧式スイッチが複数設けられたキー基板２４０（図６参照）が組み付けられている。
【００１３】
キー基板２４０の表面には、ベースラバー（図示しない）と、ベースラバーに重ねられる中フレーム２４１と、ベースラバーに取り付けられ中フレーム２４１に形成されたキー孔から露出する複数のキートップ２４２a〜２４２jとを備えた操作キー群２４が配置されている。
複数のキートップ２４２には、ダイヤルキー２４２a、発信キー２４２b、電源／終了キー２４２c、メモ／クリアキー２４２d、十字キー２４２e、決定キー２４２f、アプリキー２４２ｇ、メールキー２４２h、アドレス帳キー２４２i、ネット接続キー２４２jがあり、これらが所定位置に配置されている。
そして、これら複数のキートップ２４２a〜２４２jをフロントケース２２の開口部２２１から露出させるとともに、中フレーム２４１の周囲を表面側から囲むようにフロントケース２２がリアケース２３に組み合わされることにより、操作キー群２４がフロントケース２２とリアケース２３に挟持されている。
【００１４】
図４は、携帯電話機１００の開いた状態における概略を示す左側面図、図５(a)は、液晶ディスプレイ１４を内側にして折り畳んだ状態における概略を示す左側面図、図５(b)は、液晶ディスプレイ１４を外側にして折り畳んだ状態における概略を示す右側面図、図６は、第二の筐体２の左側断面図、図７は、操作キー群２４の斜視図である。なお、図４及び図５において、各筐体１，２の側面に設けられた後述の各種サイドキーについては図面の関係上図示を省略している。
図４〜図７に示すように、操作キー群２４を構成する中フレーム２４１の左上及び右上のコーナー部には、各コーナー部に沿って円弧状に隆起した第一の凸部２８a，２８bが形成されている。これら第一の凸部２８a，２８bは、第一の筐体１及び第二の筐体２を折り畳んだ際に、回動軸３及び開閉軸４による各筐体１，２のガタつきを防止するためのものであり、ゴムのような弾性体で形成されている。また、左上のコーナー部に設けた第一の凸部２８aの近傍、すなわち第一の凸部２８aの開閉軸４側とは反対側の根元に中フレーム２４１を貫通するマイク孔２５１が形成されている。マイク孔２５１の裏面にはマイク２５２が、中フレーム２４１の側縁部から外方に突出して取り付けられている。したがって、マイク孔２５１の近傍に通話者の指Ｙが当たっても第一の凸部２８aに指Ｙが当たることで、第一の凸部２８aと指Ｙとの間に隙間Ｓが形成されることからマイク孔２５１が指Ｙで塞がれないようになっている。
【００１５】
さらに、中フレーム２４１の下端部中央には、左右に延在する直線状に隆起した第二の凸部２９が形成されている。第二の凸部２９は、第一の筐体１及び第二の筐体２を折り畳んだ際のガタつきを防止するためのものである。なお、この第二の凸部２９の近傍には、第二の筐体２内で発生した熱を逃がす放熱孔２９１が形成されている。
【００１６】
図８は、携帯電話機１００の液晶ディスプレイ１４を内側にして折り畳んだ状態の斜視図、図９(a)は図８における右側面図、(b)は図８における左側面図、(c)は図９(b)においてイヤホンキャップ２０６及び外部接続端子キャップ２０８を外した際の図８における左側面図、図１０は、携帯電話機１００の液晶ディスプレイ１４を外側にして折り畳んだ状態の斜視図、図１１(a)は図１０における右側面図、(b)は図１０における左側面図である。なお、図９及び図１１において、図面の関係上、第一の凸部２８a，２８b及び第二の凸部２９の図示は省略している。
図１０に示すように、第一の筐体１の液晶ディスプレイ１４を外側にして折り畳んだ状態における、第一の筐体１の右側面（図１１(a)参照）には、マナーメニューを呼び出し、マナーモードの設定及び解除を行うマナーキー１０１や、上述の決定キー２４２fと同様の機能を有するサイド決定キー１０２、ＴＶモードを起動するＴＶキー１０３、上述の十字キー２４２eのうち上キーと下キーと同様の機能を有するサイド上下キー（ＴＶモード時には音量調整が可能なキー）１０４が設けられている。
また、液晶ディスプレイ１４を外側にして折り畳んだ状態における、第二の筐体２の右側面（図１１(a)参照）、すなわち、リアケース２３の右側面には、ＴＶ用アンテナ２７が収納される収納部２０１が第二の筐体２の長手方向に沿って形成され、この収納部２０１にＴＶ用アンテナ２７が収納されている。また、フロントケース２２の右側面には、メモリーカードスロット２０２が設けられ、さらに、上述の十字キー２４２fのうち左キーと右キーと同様の機能を有するサイド左右キー（ＴＶモード時にはチャンネルの切り替えが可能なキー）２０３、カメラのシャッタキー２０４が設けられている。
【００１７】
サイド上下キー１０４及びサイド左右キー２０３は、液晶ディスプレイ１４を外側にして第一の筐体１及び第二の筐体２を折り畳んだ状態では、図１１(a)に示すように第一の筐体１の側面と第二の筐体２の側面とで互いに対応する位置に近接して配置されている。また、液晶ディスプレイ１４を内側にして折り畳んだ場合には、図９(a)，(b)に示すように、第一の筐体１及び第二の筐体２の各側面において異なる側面に配置されている。
【００１８】
さらに、図８に示すように、液晶ディスプレイ１４を内側にして折り畳んだ状態における、第二の筐体２の左側面（図９(b)，(c)参照）には、平型ステレオイヤホンが接続されるイヤホン端子２０５が設けられ、このイヤホン端子２０５にイヤホンキャップ２０６が取り付けられている。さらに、第二の筐体２の左側面に、ＵＳＢケーブルなどの接続に使用する外部接続端子２０７が設けられ、この外部接続端子２０７に外部接続端子キャップ２０８が取り付けられている。また、イヤホン端子２０６と外部接続端子２０８との間に、卓上ホルダで充電する際に使用する充電端子２０９が設けられている。
【００１９】
次に、折り畳み式携帯電話機１００の動作について説明する。
図５(a)及び図８に示すように液晶ディスプレイ１４が内側となるように折り畳んだ状態では、第一の凸部２８a，２８b及び第二の凸部２９が第一の筐体１のフロントケース１２の表面に当接することによって、第一の筐体１の内面（表示面）及び第二の筐体２の内面（操作面）とが固定される。
そして、図１に示すように開閉軸４を中心として第一の筐体１を第二の筐体２に対して開くことによって第二の筐体２の内面に配置されたキートップ（十字キー２４２e等）２４２a〜２４２jを押下でき、所望の操作を行うことができる。このとき、誤って指Ｙがマイク孔２５１に触れてもマイク孔２５１の近傍に第一の凸部２８aが形成されているので、第一の凸部２８aに指が接触することによって指Ｙとマイク孔２５１との間に隙間Ｓ（図４参照）が設けられる。
この開いた状態から回動軸３を中心として第一の筐体１を１８０度回転させることにより液晶ディスプレイ１６を外側に向けた後、開閉軸４を中心として図５(b)及び図１０に示すように折り畳む。液晶ディスプレイ１４が外側となるように折り畳んだ状態では、第一の凸部２８a，２８b及び第二の凸部２９が第一の筐体１のリアケース１３の表面に当接することによって、第一の筐体１の外面及び第二の筐体２の内面（操作面）とが固定される。
【００２０】
以上、本発明の実施の形態によれば、第二の筐体２の操作面に第一の凸部２８aが形成され、この第一の凸部２８aの根元にマイク孔２５１が形成されているので、通話者の指Ｙによって塞がれやすい開閉軸４の近傍のマイク孔２５１は、第一の凸部２８aに指Ｙが接触することで、指Ｙとマイク孔２５１との間に隙間Ｓが形成されるため、マイク孔２５１が塞がれることなく、通話を確実に行うことができる。また、液晶ディスプレイ１４が内側となるように折り畳んだ際には第一の凸部２８a，２８b及び第二の凸部２９が第一の筐体１の内面（表示面）に当接することにより各筐体１，２が固定されてガタつきを防止することができる。一方、液晶ディスプレイ１４が表となるように折り畳んだ際には第一の凸部２８a，２８b及び第二の凸部２９が第一の筐体１の外面に当接することにより各筐体１，２が固定されてガタつきを防止することができる。
また、マイク孔２５１が開閉軸４の近傍に設けられているため、第一の筐体１を回動軸３を中心として回動させ液晶ディスプレイ１４を表にして折り畳んだ場合でも、第一の筐体１を開くことなく容易に通話に対応することができる。
【００２１】
なお、本発明は上記実施の形態に限定されるものではなく、その要旨を逸脱しない範囲で適宜変更可能である。
例えば、上記実施の形態では第二の筐体２の操作面、中フレーム２４１の左上のコーナー部に第一の凸部２８a，２８b及びマイク孔２５１を形成したが、第二の筐体２のフロントケース２２側、すなわち、開口部２２１を形成する左上又は右上のコーナー部に形成しても構わない。
【００２２】
また、上記実施の形態では折り畳み式携帯電話機１００に適用したが、携帯電話機１００に限らず、ＰＨＳ、トランシーバ等の他の携帯通信機にも適用可能である。
【図面の簡単な説明】
【００２３】
【図１】携帯電話機１００の開いた状態における斜視図である。
【図２】図１における携帯電話機１００の正面図、
【図３】図１における携帯電話機１００の背面図である。
【図４】携帯電話機１００の開いた状態における概略を示す左側面図である。
【図５】(a)は、液晶ディスプレイ１６を内側にして折り畳んだ状態における概略を示す左側面図、(b)は、液晶ディスプレイ１６を外側にして折り畳んだ状態における概略を示す右側面図である。
【図６】第二の筐体２の左側断面図である。
【図７】操作キー群２４の斜視図である。
【図８】液晶ディスプレイ１６を内側にして折り畳んだ状態の斜視図である。
【図９】(a)は図８における携帯電話機１００の右側面図、(b)は図８における携帯電話機１００の左側面図、(c)は図９(b)においてイヤホンキャップ２０６及び外部接続端子キャップ２０８を外した際の図８における左側面図である。
【図１０】液晶ディスプレイ１６を外側にして折り畳んだ状態の斜視図である。
【図１１】(a)は図１０における携帯電話機１００の右側面図、(b)は図１０における携帯電話機１００の左側面図である。
【符号の説明】
【００２４】
１  第一の筐体
２  第二の筐体
３  回動軸
４  開閉軸
１４  液晶ディスプレイ（表示部）
１５  スピーカ（受話部）
２４  操作キー群（操作部）
２８a  第一の凸部
２９  第二の凸部
１００  携帯電話機（折り畳み式携帯通信機）
２５１  マイク孔
２５２  マイク（送話部）
【図１】
2007194853.tif 000003
【図２】
2007194853.tif 000004
【図３】
2007194853.tif 000005
【図４】
2007194853.tif 000006
【図５】
2007194853.tif 000007
【図６】
2007194853.tif 000008
【図７】
2007194853.tif 000009
【図８】
2007194853.tif 000010
【図９】
2007194853.tif 000011
【図１０】
2007194853.tif 000012
【図１１】
2007194853.tif 000013